(57)【特許請求の範囲】
【請求項１】
信号を発振することにより被操縦体を制御する玩具用送信機において、前記信号は、平時には限られた範囲内で出力し、被操縦体が信号の届く範囲外に飛び出したり、電源電池の減衰とともに信号の届く範囲が狭くなったようなときに制御不能にさせないために、ワンショット・タイマーを働かせ、出力アップするためのボタンを備えたことを特徴とする玩具用送信機。
【発明の詳細な説明】
【０００１】
【発明の属する技術分野】
本発明は、発振された信号により被操縦体を制御する玩具用送信機に関するものである。
【０００２】
【従来の技術】
従来、自動車玩具、船玩具、飛行玩具などの被操縦体を遠隔操作するために電波や赤外線等に信号を乗せ、送信機のトリガーやステック等で前進、後進、左右回転等を信号の届く範囲で自由に操作できるものが知られている。
【０００３】
【発明が解決しようとする課題】
しかしながら、上記従来の玩具用送信機は、出力が一定であり、信号が届く範囲外に被操縦体が飛び出てしまった場合には制御不能となった。この場合、被操縦体が自動車玩具の如く、地上を走行するものであれば、操作者が被操縦体に近づくように移動することにより問題を生じさせないが、船玩具のように水上を走行するものや飛行玩具のように空中を飛ぶものであると、操作者が容易に被操縦体に近づけず、被操縦体を紛失（流失・失速）する事故に繋がる虞があった。
【０００４】
また、上記従来の玩具用送信機は、これに搭載した電源電池の減衰とともに被操縦体に届く信号の範囲が狭くなったために、被操縦体を制御出来なくなる場合もあった。かかる場合にも、上記同様に被操縦体を紛失（流失・失速）する事故に繋がる虞があった。
【０００５】
本発明は、上記種々の問題を一挙に解決しようとするもので、被操縦体が信号の届く範囲外に飛び出てしまった場合にも、或いは電源電池が減衰した場合にも制御不能にさせないようにした新規な玩具用送信機を提供することを目的としている。
【０００６】
【課題を解決するための手段】
上記目的を達成するため、本発明は、信号を発振することにより被操縦体を制御する玩具用送信機において、前記信号は、平時には限られた範囲内で出力し、被操縦体が信号の届く範囲外に飛び出したり、電源電池の減衰とともに信号の届く範囲が狭くなったようなときに制御不能にさせないために、ワンショット・タイマーを働かせ、出力アップするためのボタンを備えたことを特徴とし、一時的に信号の届く範囲を拡げることができるように構成したものである。
【０００７】
前記ボタンは、制御不能に際して押圧するものであり、この動作は出力アップするための特別な操作であり、平時に操作者によって出力アップ状態で使用され難いようにし、ボタンを押圧したときに出力アップ効果がより有効に機能するようにしたものである。
【０００８】
【発明の実施の態様】
次に、本発明の実施の態様を図面に基いて説明する。図において、１は本願送信機本体で、操作部２と、電池収納部３と、これら操作部２と電池収納部３とを結ぶグリップ部４とで構成されている。前記操作部２の前方にはアンテナ５の基部を収納する筒部６が、操作部２と電池収納部３とを結ぶように設けられ、アンテナ使用時に必要な長さに伸長できるようになっている。
【０００９】
前記操作部２は、一側面にステアリングホイール７を備えている。該ステアリングホイール７は被走行体（図示せず）の方向変換機構（操舵機構）を作動させるためのものである。該ステアリングホイール７の近傍には電源スイッチ８、ステアリングトリマー（直進の調整ツマミ）９、ニュートラル調整ツマミ１０が設けられている。
【００１０】
前記操作部２の下面には二股状のトリガー１１ａ、１１ｂが設けられ、操作者がグリップ部４を握って指（人指し指）の腹側で一方のトリガー１１ａを引くと被操縦体（図示せず）を前進させ、その引き角度を大きくするとこれに比例して最高速度が得られるようになっている。そして指を離すと直ちに復帰バネ（図示せず）によりニュートラル位置まで復帰するようになっている。また、その位置から他方のトリガー１１ｂを指の背で前方に押すと、被操縦体を後進させ得るようになっている。
【００１１】
前記操作部２内にはトリガー１１ａの引き角度に比例して抵抗値が変化する可変抵抗器Ｃを備えるとともに、図２の如き、送信回路１２を備えている。該送信回路１２は前記可変抵抗器Ｃの抵抗値の変化に対応して変調信号発生器１３が作動し、該変調信号を受領した変調器１４は、高周波発振器１５から発振されて高周波アンプ１６を経てアンテナ５より一定の周波数、一定の振幅に変化させて被操縦体に搭載した受信機（図示せず）に向けて送信するようになっている。
【００１２】
前記高周波アンプ１６には高周波発振器１５から変調発振する信号の出力をパワーアップ側に切り換えできる切換手段１７が設けられている。該切換手段１７は付加動作機構１８の動作を伴うようになっている。
【００１３】
前記付加動作機構１８は、操作者に不便な動作を強いる機構をいう。即ち、前記操作部２の上面に設けたボタン１９を、図３の如く、押すとワンショット・タイマーが働き、一定時間（数秒〜拾数秒）だけ前記切換手段１７を作動して発振信号の出力をパワーアップ側に切り換えられるようにしている。また、図示していないが、前記ボタン１９を押圧し続ける限りにおいて前記切換手段１７を作動できるようにすることも可能である。勿論、前記切換手段１７としてこれら以外の構造にすることもある。つまり、本発明では、平時は限られた範囲内で被操縦体を操作しておきながら、制御不能という異常時に際し、パワーアップできるようにした点に大きな特徴を有する。
【００１４】
【発明の効果】
以上説明したように、本発明は、信号を発振することにより被操縦体を制御する玩具用送信機において、前記信号は、平時には限られた範囲内で出力し、被操縦体が信号の届く範囲外に飛び出したり、電源電池の減衰とともに信号の届く範囲が狭くなったようなときに制御不能にさせないために、ワンショット・タイマーを働かせ、出力アップするためのボタンを備えたことを特徴としているから、被操縦体が信号の届く範囲外に飛び出てしまった場合にも、或いは電源電池が減衰した場合にも、信号を一時的にパワーアップさせて被操縦体を制御範囲内に戻すことが可能になる。従って、例えば、船玩具のように水上を走行する被操縦体であろうと、飛行玩具のように空中を飛ぶ被操縦体であろうと被操縦体を流失させたり失速させたりする事故を未然に防止できるという優れた効果を奏するものである。
【００１５】
前記ボタンは、制御不能に際して押圧するものであり、この動作は出力アップするための特別な操作であり、平時に操作者によって出力アップ状態で使用され難いようにし、ボタンを押圧したときに出力アップ効果がより有効に機能するようにしたものである。
【図面の簡単な説明】
【図１】送信機本体の一側面図である。
【図２】送信機本体に内蔵した発振回路を示すブロック図である。
【図３】送信機の使用状態を示す斜視図である。
【符号の説明】
１  本願送信機本体
２  操作部
３  電池収納部
４  グリップ部
５  アンテナ
６  筒部
７  ステアリングホイール
８  電源スイッチ
９  ステアリングトリマー（直進の調整ツマミ）
１０  ニュートラル調整ツマミ
１１ａ、１１ｂ  トリガー
１２  送信回路
１３  変調信号発生器
１４  変調器
１５  高周波発振器
１６  高周波アンプ
１７  切換手段
１８  付加動作機構
１９  ボタンスイッチ
Ｃ  可変抵抗器
【図１】
0003615102.tif 000002
【図２】
0003615102.tif 000003
【図３】
0003615102.tif 000004